【手続補正書】
【提出日】平成27年6月26日(2015.6.26)
【手続補正１】
【補正対象書類名】明細書
【補正対象項目名】００１２
【補正方法】変更
【補正の内容】
【００１２】
上記目的を達成するための本発明のプリント方法は、インクジェット方式のプリントヘッドを用いて連続シートにプリントを行う方法であって、複数の画像を順次プリントするプリント工程と、画像と画像との間の領域に第１メンテナンスパターンをプリントすることにより第１の保守動作を行う第１保守工程と、前記第１の保守動作とは異なる実行条件で、画像と画像との間の領域に第２メンテナンスパターンをプリントすることにより、第２の保守動作を行う第２保守工程と、を有し、前記第１の保守動作と、前記第２の保守動作とが同じ前記領域で行われないようにすることを特徴とする。
【手続補正２】
【補正対象書類名】明細書
【補正対象項目名】００４５
【補正方法】変更
【補正の内容】
【００４５】
まず、図７（ａ）について説明する。図７（ａ）は、画像７と画像８との間に保守パターン［１]であるレジ調整パターンのプリント（第１の保守動作）を行うか否かを判定するプリント判定の模式図である。図中、条件１（７０１ａ）は、レジ調整パターンのプリント条件である。条件２（７０２ａ）は、レジ調整パターンのプリント判定時に不吐監視パターンが影響を与えるプリント制限となる条件である。右矢印ｘ１およびｘ２は、それぞれレジ調整パターンおよび不吐監視パターンの前回プリント位置を０としたプリント順序方向の座標系である。各座標系における位置ｘ１＿Ｔｔｌおよび位置ｘ２＿Ｔｔｌは、それぞれレジ調整パターンおよび不吐監視パターンの前回プリント位置を基準として既にプリントが確定している連続シートの紙面上の位置までのライン数を示す。帯７０３ａおよび帯７０４ａは、それぞれ条件１（７０１ａ）および条件２（７０１ｂ）の座標系ｘ１およびｘ２方向、すなわちプリント順序方向における、連続シートの紙面上のプリント可能エリアを示す。グラデーション表示をしている個所は、限界値がないことを示しており、帯７０３ａで示されるプリント可能エリア範囲は、ライン数ｘ１＿Ｍｉｎ以上、上限なしの位置であることを示す。また、帯７０４ａで示されるプリント可能エリア範囲は、ライン数ｘ２＿Ｍｉｎ以上、ｘ２＿Ｍａｘ以下の位置である。
【手続補正３】
【補正対象書類名】特許請求の範囲
【補正対象項目名】全文
【補正方法】変更
【補正の内容】
【特許請求の範囲】
【請求項１】
インクジェット方式のプリントヘッドを用いて連続シートにプリントを行う方法であって、
複数の画像を順次プリントするプリント工程と、
画像と画像との間の領域に第１メンテナンスパターンをプリントすることにより第１の保守動作を行う第１保守工程と、
前記第１の保守動作とは異なる実行条件で、画像と画像との間の領域に第２メンテナンスパターンをプリントすることにより、第２の保守動作を行う第２保守工程と、
を有し、
前記第１の保守動作と、前記第２の保守動作とが同じ前記領域で行われないようにすることを特徴とするプリント方法。
【請求項２】
前記第１の保守動作と第２の保守動作のそれぞれの実行条件から、前記第１の保守動作と第２の保守動作が同じ領域に実行されると判定されるときは、前記第１の保守動作を優先して当該領域で行い、前記第２の保守動作は当該領域よりも後の領域で行うようにすることを特徴とする、請求項１に記載のプリント方法。
【請求項３】
インクジェット方式のプリントヘッドを用いて連続シートにプリントを行う方法であって、
スケジュールに従って、複数の画像を順次プリントするプリント工程と、
画像と画像との間の領域に第１メンテナンスパターンをプリントすることにより第１の保守動作を行う第１保守工程と、
前記第１の保守動作とは異なる実行条件で、画像と画像との間の領域に第２メンテナンスパターンをプリントすることにより、第２の保守動作を行う第２保守工程と、
前記第１の保守動作の実行状態に基づいて、前記第２の保守動作を行うかを判定する判定工程と、
を有することを特徴とするプリント方法。
【請求項４】
前記判定工程では、前記第１の保守動作の解析中は、前記第２の保守動作の実行条件が成立しても前記第２の保守動作を行わないと判定することを特徴とする請求項３に記載のプリント方法。
【請求項５】
前記第１の保守動作は、前記第２の保守動作よりも、保守において連続シートにプリントするパターンが長いことを特徴とする、請求項１から４のいずれか１項に記載のプリント方法。
【請求項６】
前記第１の保守動作は、予備吐パターンまたは不吐監視パターンのプリントを含み、
前記第２の保守動作は、レジ調整パターンのプリントを含むことを特徴とする、請求項１から５のいずれか１項に記載のプリント方法。
【請求項７】
前記第１の保守動作および前記第２の保守動作は、実行周期が異なることを特徴とする請求項１から６のいずれか１項に記載のプリント方法。
【請求項８】
前記第１の保守動作および前記第２の保守動作は、いずれもプリントしたメンテナンスパターンの解析を実行することを特徴とする請求項１から７のいずれか１項に記載のプリント方法。
【請求項９】
複数の画像を順次プリントするプリント部と、
画像と画像との間の領域に第１メンテナンスパターンを前記プリント部にプリントさせることにより第１の保守動作を行い、前記第１の保守動作とは異なる実行条件で、画像と画像との間の領域に第２メンテナンスパターンを前記プリント部にプリントさせることにより第２の保守動作を行う制御手段と、
を有し、
前記制御手段は、前記第１の保守動作と、前記第２の保守動作とが同じ前記領域で行われないようにすることを特徴とするプリント装置。
【請求項１０】
前記制御手段は、前記第１の保守動作と前記第２の保守動作のそれぞれの実行条件から、前記第１の保守動作と前記第２の保守動作が同じ領域に実行されると判定されるときは、前記第１の保守動作を優先して当該領域で行い、前記第２の保守動作は当該領域よりも後の領域で行うように制御することを特徴とする、請求項９に記載のプリント装置。
【請求項１１】
複数の画像を順次プリントするプリント部と、
画像と画像との間の領域に第１メンテナンスパターンを前記プリント部にプリントさせることにより第１の保守動作を行い、前記第１の保守動作とは異なる実行条件で、画像と画像との間の領域に第２メンテナンスパターンを前記プリント部にプリントさせることにより第２の保守動作を行う第２制御手段と、前記第１の保守動作の実行状態に基づいて、前記第２の保守動作を行うかを判定する判定手段と、
を有することを特徴とするプリント装置。
【請求項１２】
前記判定手段は、前記第１の保守動作の解析中は、前記第２の保守動作の実行条件が成立しても前記第２の保守動作を行わないと判定することを特徴とする請求項１１に記載のプリント装置。
【請求項１３】
前記第１の保守動作は、予備吐パターンまたは不吐監視パターンのプリントを含み、
前記第２の保守動作は、レジ調整パターンのプリントを含むことを特徴とする、請求項９から１２のいずれか１項に記載のプリント装置。
【請求項１４】
前記第１の保守動作および前記第２の保守動作は、いずれもプリントしたメンテナンスパターンの解析を実行することを特徴とする請求項９から１３のいずれか１項に記載のプリント装置。
【手続補正４】
【補正対象書類名】図面
【補正対象項目名】図８
【補正方法】変更
【補正の内容】
【図８】
2014008635.tif 000001